(57)【要約】【課題】撮影装置に内蔵されたプリンタによって記録材料に記録された画像の画像データを容易に入手可能とする。【解決手段】プリンタ内蔵ＤＳＣに装填されるインスタントフィルム８４は、中央に画像記録領域８４Ａが、一端側に現像定着試薬が封入された封入部８６が、他端側に試薬受け部８８が各々形成され、封入部８６の近傍にＩＣタグ９０が設けられている。ＤＳＣに内蔵されているプリンタは、露光ヘッド７０を往復移動させ露光ヘッド７０の各ＬＥＤの点消灯を制御することで画像記録領域８４Ａに画像を露光記録した後に、押圧ローラ８０を往復移動させ、封入部８６から現像定着試薬を漏洩させて画像記録領域８４Ａの全面へ拡散させることで、露光記録した画像を現像・定着させる。そして記録した画像のデータの保存場所を表す情報、サムネイル画像データ及び撮影情報をＩＣタグ９０に書き込む。【選択図】　　　　　図４
2004072146.tif 000002
【特許請求の範囲】
【請求項１】
プリンタを内蔵した撮影装置の本体にセットされ、被写体を撮影することで得られた画像データに基づいて前記プリンタによって画像が記録される記録材料であって、
前記プリンタによって画像が記録される際に、少なくとも記録材料に記録された画像の画像データ又は該画像データを特定するための画像特定情報を書き込むためのＩＣタグが設けられていることを特徴とする記録材料。
【請求項２】
前記記録材料は、画像記録領域外に現像定着試薬が封入された封入部が形成されており、前記画像記録領域に画像が露光記録された後に、外部からの押圧力により現像定着試薬が前記封入部から漏洩して前記画像記録領域へ拡散し、露光記録された画像が現像定着されることで画像が記録される記録材料であり、前記ＩＣタグは前記封入部の近傍に設けられていることを特徴とする請求項１記載の記録材料。
【請求項３】
前記ＩＣタグは外形が直径数ｍｍ程度の筒形とされ、画像記録領域外に設けられていることを特徴とする請求項１記載の記録材料。
【請求項４】
プリンタを内蔵した撮影装置であって、
前記プリンタは、撮影装置本体にセットされた請求項１乃至請求項３の何れか１項記載の記録材料に対し、被写体を撮影することで得られた画像データに基づいて画像を記録し、
前記プリンタによって前記記録材料に画像が記録される際に、前記記録材料に設けられた前記ＩＣタグに、少なくとも記録材料に記録された画像の画像データ又は該画像データを特定するための画像特定情報を書き込む書込手段を備えたことを特徴とする撮影装置。
【請求項５】
前記プリンタによって画像が記録されると共に、前記書込手段によってＩＣタグに情報が書き込まれた請求項１乃至請求項３の何れか１項記載の記録材料に設けられているＩＣタグから情報を読み取る読取手段と、
前記読取手段によってＩＣタグから読み取られた情報を表示部に表示させる第１表示制御手段を更に備えたことを特徴とする請求項４記載の撮影装置。
【請求項６】
プリンタを内蔵した撮影装置であって、
被写体を撮影することで得られた画像データに、該画像データを特定するための画像特定情報を埋め込んで画像特定情報付き画像データを生成する生成手段を備え、
前記プリンタは、撮影装置本体にセットされた記録材料に、前記生成手段によって生成された画像特定情報付き画像データに基づいて、前記画像特定情報付き画像を記録する
ことを特徴とする撮影装置。
【請求項７】
前記プリンタによって記録材料に記録された画像特定情報付き画像が撮影されることで得られた画像データから、前記画像特定情報を抽出する抽出手段と、
前記抽出手段によって抽出された画像特定情報を表示部に表示させる第２表示制御手段と、を更に備えたことを特徴とする請求項６記載の撮影装置。
【請求項８】
前記画像データを特定するための画像特定情報は、被写体の撮影時に前記画像データと共に生成される撮影情報、前記画像データが表す画像のサムネイル画像を表すサムネイル画像データ、及び、前記画像データの保存場所を表す情報の何れかであることを特徴とする請求項４又は請求項６記載の撮影装置。
【発明の詳細な説明】
【０００１】
【発明の属する技術分野】
本発明は記録材料及び撮影装置に係り、特に、記録材料に画像を記録するプリンタが一体化された撮影装置、及び、該撮影装置のプリンタで画像を記録するための記録材料に関する。
【０００２】
【従来の技術】
ＣＣＤ等の撮像素子によって被写体を撮影し、該撮影によって得られたアナログの画像信号をデジタルの画像データに変換した後に、スマートメディア（Ｒ）等の情報記憶媒体に記憶させる構成のデジタルスチルカメラ（以下、ＤＳＣと略す）は、撮影した画像をその場でＬＣＤに再生表示させることで、撮影が成功したか失敗したかをその場で確認できる、という特長があり、近年急速に普及してきている。ＤＳＣによって撮影された画像は、例えば顧客が画像データをＤＰＥ受付店に持込んで写真プリントの作成等の写真処理を依頼することにより、高品位の写真プリントとして保存したり、前記画像データが表す画像を顧客が所持しているプリンタにより紙等に簡易的に記録することも可能である。
【０００３】
また、プリンタを内蔵したＤＳＣも知られている（例えば特開２０００−８９３４２号公報参照）。この種のＤＳＣでは、画像を記録する記録材料としてインスタントフィルム等が用いられており、撮影された画像をＬＣＤから成る表示部に表示している状態でプリントすべき画像が選択されると、選択された画像をプリンタによりインスタント写真として出力するように構成されている。これにより、撮影した画像をその場で写真として出力して鑑賞することも可能となる。
【０００４】
【発明が解決しようとする課題】
プリンタ内蔵ＤＳＣを用いて撮影した画像の記録手段としては、簡便さの点で内蔵プリンタが多用されるが、撮影した画像のうち顧客にとって重要なシーンの画像等については、高画質の写真プリントとして長期間保存するために写真プリントの作成を依頼したり、別体の画像表示装置に画像を表示させる等の用途に画像データが利用されることになる。ここで、プリンタ内蔵ＤＳＣを用いて撮影した画像については、上記のような用途に用いる画像の選別にも、内蔵プリンタで記録・出力された画像が用いられることが多いが、内蔵プリンタで記録・出力された画像を用いて選別を行った場合、選別した画像の画像データを探し出す作業が煩雑である、という問題があった。
【０００５】
すなわち、ＤＳＣを用いて撮影された画像の画像データは、スマートメディア（Ｒ）等の記録メディア内に保存されることが通例であるが、記録メディアの低価格化に伴って記録メディアも大容量化の傾向にあり、単一の記録メディア内に多数の画像の画像データが保存されるようになってきている。また、個々の画像データに付与されたファイル名も互いに類似しているので、ファイル名に基づいて個々の画像の内容を識別することも困難である。そして、ＤＳＣに内蔵されたプリンタは記録材料に単に画像を記録・出力するものであるので、内蔵プリンタで記録・出力された画像を参照しても対応する画像データを探し出すことは困難であり、画像データを探し出すためには、例えば記録メディアに記録された個々の画像データを画像として表示させ、内蔵プリンタで記録・出力された画像と比較する等の煩雑な作業を行う必要があるのが実情であった。
【０００６】
本発明は上記事実を考慮して成されたもので、撮影装置に内蔵されたプリンタによって記録材料に記録された画像の画像データを容易に入手可能な記録材料及び撮影装置を得ることが目的である。
【０００７】
【課題を解決するための手段】
上記目的を達成するために請求項１記載の発明に係る記録材料は、プリンタを内蔵した撮影装置の本体にセットされ、被写体を撮影することで得られた画像データに基づいて前記プリンタによって画像が記録される記録材料であって、前記プリンタによって画像が記録される際に、少なくとも記録材料に記録された画像の画像データ又は該画像データを特定するための画像特定情報を書き込むためのＩＣタグが設けられていることを特徴としている。
【０００８】
請求項１記載の発明に係る記録媒体は、プリンタを内蔵した撮影装置の本体にセットされ、被写体を撮影することで得られた画像データに基づいて前記プリンタによって画像が記録される。なお、プリンタを内蔵した撮影装置としては、例えば撮像素子によって被写体を撮影することで得られたアナログの画像信号をデジタルの画像データに変換し、記録メディアに記録する構成の撮影装置（撮影専用に設計されたＤＳＣ）が好適であるが、被写体を銀塩写真フィルム等の感光材料に露光記録する通常のカメラや、デジタルビデオカメラ、携帯電話機やＰＤＡ等の携帯機器に付属するＤＳＣであってもよい。
【０００９】
また、請求項１記載の発明に係る記録媒体には、プリンタによって画像が記録される際に、少なくとも記録材料に記録された画像の画像データ又は該画像データを特定するための画像特定情報を書き込むためのＩＣタグが設けられている。これにより、撮影装置の本体にセットされた記録材料に対し、プリンタによって画像が記録されると、前記記録材料に設けられたＩＣタグには、前記画像の画像データ又は画像特定情報が書き込まれることになるので、記録材料に記録された画像と、該画像の画像データ又は画像特定情報が同一の記録材料に担持されることになる。
【００１０】
そして、記録材料に記録された画像の画像データの入手を所望している場合には、記録材料のＩＣタグから画像データを読み出すか、又は記録材料のＩＣタグから画像特定情報を読み出し、読み出した画像特定情報を利用して画像データを特定して読み出す（具体的には、例えば画像特定情報に基づいて前記画像データの属性、保存場所、サムネイル画像の何れかを特定し、対応する画像データを読み出す等）ことで、所望の画像データを入手することが可能となる。従って、請求項１記載の発明によれば、撮影装置に内蔵されたプリンタによって記録材料に記録された画像の画像データを容易に入手可能とすることができる。
【００１１】
なお、請求項１記載の発明において、記録材料の構成としては、プリンタにおける記録方式に応じて種々の構成を採用可能であるが、例えば画像記録領域外に現像定着試薬が封入された封入部が形成され、画像記録領域に画像が露光記録された後に、外部からの押圧力により現像定着試薬が封入部から漏洩して画像記録領域へ拡散し、露光記録された画像が現像定着されることで画像が記録される構成の記録材料である場合には、例えば請求項２に記載したように、ＩＣタグが封入部の近傍に設けられていることが好ましい。
【００１２】
上記構成の記録材料に画像を記録するプリンタは、封入部を押圧したり現像定着試薬を画像記録領域全体へ拡散させるために、記録材料の全面をローラ等によって押圧する構成が採用されることが多く、このローラ等による押圧に伴ってＩＣタグの破損等が生ずる恐れがある。一方、封入部は現像定着試薬が封入されているために或る程度の厚みを有しており、上記のようにＩＣタグを封入部の近傍に設けることで、ローラ等によってＩＣタグに加わる押圧力が封入部によって軽減されるので、ＩＣタグの破損等が生ずることを防止することができる。
【００１３】
また、ＩＣタグにはラベル形、筒形、コイン形、カード形、箱形等の様々な形状のものが存在しているが、記録画像の画質に悪影響を及ぼさないことが望ましく、また記録材料はその殆どが画像記録領域であることを考慮すると、請求項３に記載したように、ＩＣタグは外形が直径数ｍｍ程度の筒形とされ、画像記録領域外に設けられていることが好ましい。ＩＣタグを筒形とすることで投影面積（占有面積）が小さくなるので、記録材料の画像記録領域外に設けることが容易になり、記録画像の画質に悪影響を及ぼすことを防止することができる。
【００１４】
請求項４記載の発明に係る撮影装置は、プリンタを内蔵した撮影装置であって、前記プリンタは、撮影装置本体にセットされた請求項１乃至請求項３の何れか１項記載の記録材料に対し、被写体を撮影することで得られた画像データに基づいて画像を記録し、前記プリンタによって前記記録材料に画像が記録される際に、前記記録材料に設けられた前記ＩＣタグに、少なくとも記録材料に記録された画像の画像データ又は該画像データを特定するための画像特定情報を書き込む書込手段を備えたことを特徴としている。
【００１５】
請求項４記載の発明は、プリンタを内蔵した撮影装置であれば適用可能であり、前述のように撮影専用に設計されたＤＳＣが好適であるが、通常のカメラや、デジタルビデオカメラ、携帯電話機やＰＤＡ等の携帯機器に付属するＤＳＣであってもよい。請求項４記載の発明では、請求項１乃至請求項３の何れか１項記載の記録材料が撮影装置本体にセットされ、撮影装置に内蔵されたプリンタは、前記記録材料に対し、被写体を撮影することで得られた画像データに基づいて画像を記録する。また、請求項４記載の発明では、プリンタによって記録材料に画像が記録される際に、前記記録材料に設けられたＩＣタグに、書込手段により、少なくとも記録材料に記録された画像の画像データ又は該画像データを特定するための画像特定情報が書き込まれる。
【００１６】
これにより、記録材料に記録された画像と、該画像の画像データ又は画像特定情報が同一の記録材料に担持されることになり、記録材料に記録された画像の画像データの入手を所望している場合には、記録材料のＩＣタグから画像データを読み出すか、又は記録材料のＩＣタグから画像特定情報を読み出し、読み出した画像特定情報を利用して画像データを特定して読み出すことで、所望の画像データを入手することが可能となる。従って、請求項４記載の発明によれば、撮影装置に内蔵されたプリンタによって記録材料に記録された画像の画像データを容易に入手可能とすることができる。
【００１７】
また、請求項４記載の発明において、例えば請求項５に記載したように、プリンタによって画像が記録されると共に、書込手段によってＩＣタグに情報が書き込まれた請求項１乃至請求項３の何れか１項記載の記録材料に設けられているＩＣタグから情報を読み取る読取手段と、読取手段によってＩＣタグから読み取られた情報を表示部に表示させる第１表示制御手段を更に設けることが好ましい。
【００１８】
これにより、記録材料に記録された画像の画像データの入手を所望している場合に、当該記録材料のＩＣタグに書き込まれている情報を読取手段によって読み取らせることで、第１表示制御手段によって撮影装置の表示部に表示されることになる。従って、請求項５記載の発明によれば、記録材料に記録された画像の画像データの入手が更に容易になる。
【００１９】
請求項６記載の発明に係る撮影装置は、プリンタを内蔵した撮影装置であって、被写体を撮影することで得られた画像データに、該画像データを特定するための画像特定情報を埋め込んで画像特定情報付き画像データを生成する生成手段を備え、前記プリンタは、撮影装置本体にセットされた記録材料に、前記生成手段によって生成された画像特定情報付き画像データに基づいて、前記画像特定情報付き画像を記録することを特徴としている。
【００２０】
請求項６記載の発明は、プリンタを内蔵した撮影装置であれば適用可能であり、前述のように撮影専用に設計されたＤＳＣが好適であるが、通常のカメラや、デジタルビデオカメラ、携帯電話機やＰＤＡ等の携帯機器に付属するＤＳＣであってもよい。請求項６記載の発明では、生成手段により、被写体を撮影することで得られた画像データに、該画像データを特定するための画像特定情報が埋め込まれることで画像特定情報付き画像データが生成される。なお、画像データへの画像特定情報の埋め込みには、例えば電子透かし技術を適用することができる。
【００２１】
また、請求項６記載の発明では、撮影装置に内蔵されたプリンタは、撮影装置本体にセットされた記録材料に、生成手段によって生成された画像特定情報付き画像データに基づいて、画像特定情報付き画像を記録する。これにより、記録材料に記録された画像と、該画像の画像特定情報が同一の記録材料に担持されることになる。そして、記録材料に記録された画像の画像データの入手を所望している場合には、記録材料に記録された画像をデータ化して画像特定情報を抽出し、抽出した画像特定情報を利用して画像データを特定して読み出すことで、所望の画像データを入手することが可能となる。従って、請求項６記載の発明によれば、撮影装置に内蔵されたプリンタによって記録材料に記録された画像の画像データを容易に入手可能とすることができる。
【００２２】
また、請求項６記載の発明において、例えば請求項７に記載したように、プリンタによって記録材料に記録された画像特定情報付き画像が撮影されることで得られた画像データから画像特定情報を抽出する抽出手段と、抽出手段によって抽出された画像特定情報を表示部に表示させる第２表示制御手段と、を更に設けることが好ましい。これにより、記録材料に記録された画像の画像データの入手を所望している場合に、前記画像（画像特定情報付き画像）を撮影装置によって撮影すれば、撮影によって得られた画像データから抽出手段によって画像特定情報が抽出され、第２表示制御手段によって撮影装置の表示部に表示されることになる。従って、請求項７記載の発明によれば、記録材料に記録された画像の画像データの入手が更に容易になる。
【００２３】
また、請求項４又は請求項６記載の発明において、画像データを特定するための画像特定情報としては、例えば請求項８に記載したように、被写体の撮影時に画像データと共に生成される撮影情報（ファイル名や撮影条件を表す情報、その他の属性情報）、画像データが表す画像のサムネイル画像を表すサムネイル画像データ、及び、画像データの保存場所を表す情報の何れかを適用することができる。上記の撮影情報やサムネイル情報は、多数の画像の画像データの中から所望の画像データを探し出す際の検索条件として用いることができ、画像データの保存場所を表す情報は、複数存在する画像データの保存場所のうち、所望の画像データが保存されている場所を特定することができる。
【００２４】
【発明の実施の形態】
以下、図面を参照して本発明の実施形態の一例を詳細に説明する。
【００２５】
〔第１実施形態〕
図１には、本発明に係る撮影装置としてのデジタルスチルカメラ（ＤＳＣ）１０が示されている。ＤＳＣ１０は本体が略箱型とされており、図１（Ａ）に示すように、正面から見て左上側にレンズ１２が取付けられている。レンズ１２の上方にはユーザが撮影範囲等を目視で確認するためのファインダ１４が、レンズ１２の下方にはシャッタボタン１６が各々設けられており、本体の中央上側には低照度での撮影等の場合に補助光を発するためのストロボ１８が取り付けられている。
【００２６】
また、正面から見て右上側にはイジェクトボタン２０が設けられており、このイジェクトボタン２０が操作されることで、図２（Ｂ）に示すように、本体正面のカバー２２が回動しカセット２４を挿入可能な状態になる。ＤＳＣ１０はプリンタを内蔵しており（後述するプリンタ部６８）、カセット２４にはプリンタ部６８で画像を記録するための記録材料（インスタントフィルム８４：後述）が予め収納されている。カセット２４（インスタントフィルム８４）は、図２（Ｂ）に示す状態で、イジェクトボタン２０が操作されたときの回動方向と逆方向へカバー２２が手動で回動されることにより、ＤＳＣ１０の内部へ装填されることになる。なお、ＤＳＣ１０本体の上面には排出孔（図示省略）が形成されており、プリンタ部６８で画像が記録されたインスタントフィルム８４は、図２（Ｂ）に示すように排出孔を介して外部へ排出される。
【００２７】
図１（Ｂ）に示すように、ＤＳＣ１０本体の背面から見て左上側にはカラーＬＣＤ等から成るディスプレイ２６が取付けられており、ディスプレイ２６の下方には、プリンタ部６８によるインスタントフィルム８４への画像記録を指示するためのプリントボタン２８及び画像を表示するデバイスを切替えるための表示切替ボタン３０が各々設けられている。また、ＤＳＣ１０本体の背面から見て右上側にはファインダ１４が設けられており、その下方側には、電源スイッチ３２、十字ボタン３４、メニュー／実行ボタン３６が各々設けられている。また、図示は省略するが、ＤＳＣ１０本体の底部付近には、スマートメディア（Ｒ）、コンパクトフラッシュ（Ｒ）、メモリスティック（Ｒ）等の各種情報記憶媒体の何れか（以下これらを記録メディアと総称する：図３も参照）を装填可能なスロットが設けられている。
【００２８】
図３にはＤＳＣ１０の電気系の構成が示されている。レンズ１２は、詳しくはオートフォーカス（ＡＦ）機構を備えたズームレンズ（焦点距離可変レンズ）であり、レンズ１２のＡＦ機構及びズーム機構は駆動回路４０によって駆動される。なおズームレンズに代えて、ＡＦ機構のみを備えた焦点距離固定レンズをレンズ１２として用いてもよい。
【００２９】
ＤＳＣ１０の本体内部のレンズ１２の焦点位置に相当する位置には、エリアＣＣＤセンサ等で構成される撮像デバイス４２が配置されており、被写体を反射してレンズ１２に入射された光は撮像デバイス４２の受光面に結像される。撮像デバイス４２は、駆動回路４０が内蔵しているタイミング発生回路（図示省略）によって発生されたタイミング信号に同期したタイミングで駆動され、画像信号（受光面上にマトリクス状に配列された多数個の光電変換セルの各々における受光量を表す信号）を出力する。
【００３０】
レンズ１２と撮像デバイス４２との間にはシャッタ／絞り４４が配置されている。シャッタ及び絞り４４は駆動回路４０によって駆動される。シャッタは撮像デバイス４２から画像信号が出力されるときに、撮像デバイス４２の受光面に光が入射することでスミアが発生することを防止するためのものであり、撮像デバイス４２の構成によっては省略可能である。また絞りは、絞り量を連続的に変更可能な単一の絞りで構成してもよいし、絞り量が異なる複数の絞りを切替える構成であってもよい。駆動回路４０にはストロボ１８も接続されている。ストロボ１８は、低照度であることが検出された場合や、撮影者によって発光が指示された場合に、駆動回路４０によって発光される。
【００３１】
撮像デバイス４２の信号出力端には、アナログ信号処理部４６、Ａ／Ｄ変換器４８、デジタル信号処理部５０、メモリ５２が順に接続されている。アナログ信号処理部４６は、撮像デバイス４２から出力された画像信号を増幅すると共に、増幅した画像信号に対してホワイトバランス等の補正を行う。アナログ信号処理部４６から出力された画像信号は、Ａ／Ｄ変換器４８によってデジタルの画像データに変換されてデジタル信号処理部５０へ入力される。デジタル信号処理部５０では、入力された画像データに対して色補正・γ補正・Ｙ／Ｃ変換等の各種処理を行う。デジタル信号処理部５０から出力された画像データは、ＲＡＭ等で構成されたメモリ５２に一時記憶される。
【００３２】
駆動回路４０、アナログ信号処理部４６、Ａ／Ｄ変換器４８、デジタル信号処理部５０、メモリ５２及び圧縮伸張部５４（後述）はバス５６に接続されており、このバス５６には、ＣＰＵ５８が接続されていると共に、プリントボタン２８、表示切替ボタン３０、十字ボタン３４、メニュー／実行ボタン３６等の各種ボタンに対応して設けられたスイッチや電源スイッチ３２等のスイッチ類（図３では「操作スイッチ」と表記）、シャッタボタン１６が操作されることでオンオフされるシャッタスイッチ６０、インスタントフィルム８４に設けられたＩＣタグ９０（後述）に対して情報の書き込み及び読み出しを行うＩＣタグリーダ／ライタ６２が各々接続されている。
【００３３】
なお、図示は省略するが、ＣＰＵ５８はＲＯＭ、ＲＡＭ、不揮発性メモリ（記憶内容を書替え可能なメモリ：例えばＥＥＰＲＯＭ等）、入出力ポート等の周辺回路を含んで構成されており、ＲＯＭには、後述する画像プリント処理を行うための画像プリントプログラム及び情報表示処理を行うための情報表示プログラムが予め書き込まれている。
【００３４】
また、メモリ５２にはディスプレイ２６及び圧縮伸張部５４が各々接続されている。表示デバイス又はディスプレイ２６に画像を表示する場合、ＣＰＵ５８は、メモリ５２に一時記憶されている画像データに対し、ディスプレイ２６への表示用の画像データへ変換する画像表示処理を行った後にディスプレイ２６へ転送する。これにより、メモリ５２に一時記憶されている画像データが表す画像がディスプレイ２６に表示される。
【００３５】
また、圧縮伸張部５４には、不揮発性の内蔵メモリ６４が接続されていると共に、スロットに装填された記録メディア６６も接続される。シャッタボタン１６が操作されてシャッタスイッチ６０がオンされた等により、内蔵メモリ６４又はスロットに装填された記録メディア６６への画像データの書き込みが指示された場合、ＣＰＵ５８はメモリ５２に一時記憶されている画像データを読み出して圧縮伸張部５４へ転送する。これにより、画像データは圧縮伸張部５４で圧縮された後に所定の撮影情報が付加され、所定の形式（例えばＥＸＩＦ形式）の画像ファイルとして内蔵メモリ６４又は記録メディア６６に書き込まれる。
【００３６】
なお、個々の画像の画像データに付加される所定の撮影情報には、例えばファイル名、撮影に使用したＤＳＣの機種、撮影日時、撮影時の撮影条件（ＤＳＣの設定）を表す各種情報（例えばシャッタスピード、絞り値、画質モード（画像データの圧縮率）、感度、露出プログラムのモード、測光方式、ホワイトバランスのモード、フォーカスのモード、シャープネスのモード、焦点距離、露出補正値、ストロボのオンオフ、ストロボ補正値、マクロモードのオンオフ等）等の情報が含まれている。
【００３７】
また、スロットに装填された記録メディア６６に格納されている画像データが表す画像の再生（表示）が指示された場合には、記録メディア６６から画像データが読み出され、読み出された画像データが圧縮されて格納されていた場合には、該被圧縮画像データが圧縮伸張部５４で伸張（解凍）された後にメモリ５２に一時記憶される。そして、メモリ５２に一時記憶された画像データを用いてディスプレイ２６への画像の表示（再生）が行われる。
【００３８】
また、バス５６にはプリンタ部６８が接続されている。このプリンタ部６８は請求項１，４，６に記載のプリンタに対応している。プリンタ部６８には、各々一列に配列されたＲ，Ｇ，Ｂ各色の多数個のＬＥＤを備えた露光ヘッド７０（図４（Ａ）も参照）と、露光ヘッド７０（及び後述する押圧ローラ８０）をインスタントフィルム８４の長手方向に沿って往復移動させるモータ７２と、モータ７２の駆動を制御するモータドライバ７４が設けられている。またプリンタ部６８には、インスタントフィルム８４に記録すべき画像を表す画像データをライン単位で記憶するためのラインメモリ７６、ラインメモリ７６に記憶された画像データに応じて露光ヘッド７０の各ＬＥＤを点消灯させるヘッドドライバ７８も設けられている。
【００３９】
図４に示すように、プリンタ部６８によって画像が記録されるインスタントフィルム８４には、画像を記録するための画像記録領域８４Ａが形成されている。プリンタ部６８は、カセット２４から引き出されたインスタントフィルム８４がプリンタ部６８内の所定位置に位置している状態で、モータ７２の駆動力で露光ヘッド７０を往復移動させると共に、その往路（復路でもよい）で、ラインメモリ７６に順に記憶される画像データに応じて露光ヘッド７０の各ＬＥＤの点消灯を制御することで、インスタントフィルム８４の画像記録領域８４Ａに画像を露光記録する。
【００４０】
またインスタントフィルム８４には、画像記録領域８４Ａを挟んで一端側に、現像定着試薬が封入された封入部８６が形成されており、画像記録領域８４Ａを挟んで封入部８６と反対側には試薬受け部８８が形成されている。プリンタ部６８は押圧ローラ８０（図４（Ｂ）参照）を備えており、インスタントフィルム８４の画像記録領域８４Ａへの画像の露光記録が終了すると、インスタントフィルム８４の長手方向に沿って押圧ローラ８０を往復移動させる。この押圧ローラ８０の往復移動により、封入部８６に押圧力が加わって封入部８６が圧壊し、封入部８６に封入されていた現像定着試薬が封入部８６から漏洩し、押圧ローラ８０の移動に伴って画像記録領域８４Ａの全面へ拡散されることで、画像記録領域８４Ａに露光記録された画像が現像・定着されることになる。
【００４１】
また、図４（Ａ）に示すように、インスタントフィルム８４には、封入部８６の側部にＩＣタグ９０が埋設されている。本実施形態に係るＩＣタグ９０は、直径数ｍｍ程度の筒状のガラス管内に収納されており、押圧ローラ８０によって押圧される際には、或る程度の厚みを有する封入部８６が押圧ローラ８０に同時に接触すると共に、外部がガラス管で覆われているために、押圧ローラ８０の押圧力によって損傷することはない。このように、インスタントフィルム８４は本発明に係る記録材料（詳しくは請求項２，３に記載の記録材料）に対応しており、ＩＣタグ９０は請求項１に記載のＩＣタグに対応している。
【００４２】
なお、本実施形態に係るＩＣタグ９０としては、例えば記憶情報のアクセス方式が読み書き可能型又は単一書き込み／読取専用型（情報の書き込みが１回のみ可能なタイプ）で、電源方式が電池レス型（アンテナから供給される電力により作動するタイプ）、書き込み距離が密着型（０〜数ｍｍ）又は近接型（数ｍｍ〜数１０ｃｍ）のＩＣタグが好適である。
【００４３】
次に本実施形態の作用を説明する。顧客がＤＳＣ１０を用いて被写体を撮影することで得られた画像データは所定の保存場所（例えばＤＳＣ１０に装填されている記録メディア６６等）に保存され、保存されている画像データは、顧客の指示によりディスプレイ２６に画像として表示される。
【００４４】
ここで、ディスプレイ２６に単一又は複数の画像が表示されている状態で、プリンタ部６８によってインスタントフィルム８４に記録すべき画像が有ることを顧客が認識した場合、プリント対象の画像が選択されてプリントボタン２８が操作されることで、選択された画像の記録が指示される。以下、上記の指示が有った場合にＤＳＣ１０のＣＰＵ５８で実行される画像プリント処理について、図５のフローチャートを参照して説明する。
【００４５】
ステップ１００では、プリント対象の画像（選択された画像）の画像データを所定の保存場所から読み出し、次のステップ１０２では、ステップ１００で読み出した画像データをプリンタ部６８へライン単位で出力し、プリンタ部６８に対してインスタントフィルム８４への画像記録を指示する。これにより、カセット２４からインスタントフィルム８４が引き出されてプリンタ部６８内の所定位置迄搬送された後に、プリンタ部６８の露光ヘッド７０及び押圧ローラ８０が順に往復移動されると共に、露光ヘッド７０の移動時に前記画像データに応じて露光ヘッド７０の各ＬＥＤの点消灯が制御されることで、プリント対象の画像がインスタントフィルム８４に記録される。
【００４６】
ステップ１０４では、ステップ１００で読み出したプリント対象の画像データの保存場所を表す保存場所情報を生成する。この保存場所情報は、例えば画像データが所定の記録メディア６６内に保存されている場合には、前記所定の記録メディア６６を識別する情報及び所定の記録メディア６６内におけるプリント対象の画像データのディレクトリを表す情報を含んで構成することができる。また、次のステップ１０６では、プリント対象の画像データを低解像度化することで、プリント対象の画像のサムネイル画像データを生成する。更に、ステップ１０８では、プリント対象の画像データに付加されている撮影情報（例えばファイル名、ＤＳＣ１０の機種、撮影日時、撮影時の撮影条件を表す情報）の読み出しを行う。
【００４７】
そしてステップ１１０では、ステップ１０４で生成した保存場所情報、ステップ１０６で生成したサムネイル画像データ及びステップ１０８で読み出した撮影情報をＩＣタグリーダ／ライタ６２へ出力する。これにより、上記の保存場所情報、サムネイル画像データ及び撮影情報が、ＩＣタグリーダ／ライタ６２により、プリンタ部６８によって画像が記録されたインスタントフィルム８４のＩＣタグ９０へ書き込まれ、インスタントフィルム８４に記録された画像に対応する保存場所情報、サムネイル画像データ及び撮影情報が、前記画像と同一のインスタントフィルム８４に担持されることになる。なお、このステップ１１０は、実際に情報の書き込みを行うＩＣタグリーダ／ライタ６２と共に請求項４に記載の書込手段に対応している。
【００４８】
そして、ＩＣタグ９０への情報の書き込みが完了すると、次のステップ１１２でインスタントフィルム８４をＤＳＣ１０本体外へ排出し（図２（Ｂ）も参照）、画像プリント処理を終了する。
【００４９】
上記の画像プリント処理は、ＤＳＣ１０を用いて被写体を撮影した直後の画像をプリント対象とすることも可能であり、この場合、撮影した画像をその場でインスタントフィルム８４に記録・出力して鑑賞することができる。
【００５０】
また、インスタントフィルム８４に記録された画像の中に、高画質の写真プリントとして長期間保存したい画像が有ることを顧客が認識した場合や、テレビ等の大画面の画像表示装置に表示したい画像が有ることを顧客が認識した場合に、前記画像（特定画像と称する）が記録されているインスタントフィルム８４のＩＣタグ９０からの情報の読み取り・表示が顧客によって指示される。以下、上記の指示が有った場合にＤＳＣ１０のＣＰＵ５８で実行される情報表示処理について、図６のフローチャートを参照して説明する。
【００５１】
ステップ１２０では、ＩＣタグリーダ／ライタ６２により、特定画像が記録されているインスタントフィルム８４のＩＣタグ９０から保存場所情報、サムネイル画像データ及び撮影情報の読み出しを行う。このステップ１２０は、実際に情報の読み出しを行うＩＣタグリーダ／ライタ６２と共に請求項５に記載の読取手段に対応している。
【００５２】
なお、ＩＣタグ９０からの情報の読み出しは、ＩＣタグ９０がリーダと密着した状態（例えば０〜数ｍｍ）でのみリーダによる情報の読み出しが可能な構成であれば、例えば特定画像が記録されているインスタントフィルム８４を顧客が所定の挿入孔を介してＤＳＣ１０の内部へ挿入することで実現できる。また、ＩＣタグ９０がリーダと近接した状態（例えば数ｍｍ〜数１０ｃｍ）でもリーダによる情報の読み出しが可能な構成である場合には、特定画像が記録されているインスタントフィルム８４を顧客がＤＳＣ１０に近接した位置に配置するのみでもＩＣタグ９０からの情報の読み出しは可能である。
【００５３】
次のステップ１２２では、ステップ１２０で読み出した保存場所情報及び撮影情報の内容をＤＳＣ１０のディスプレイ２６に表示させると共に、ステップ１２０で読み出したサムネイル画像データが表すサムネイル画像をディスプレイ２６に表示させ、情報表示処理を終了する。なお、ＤＳＣ１０のディスプレイ２６は表示面の面積が比較的小さいので、保存場所情報、撮影情報及びサムネイル画像の何れか１つのみをディスプレイ２６に表示させると共に、顧客から指示が有る毎に、ディスプレイ２６に表示する情報を順に切替えるようにしてもよい。ステップ１２２は請求項５に記載の第１表示制御手段に対応している。
【００５４】
上記のように、ディスプレイ２６に表示された保存場所情報や撮影情報、サムネイル画像を参照することにより、顧客は、インスタントフィルム８４に記録されている特定画像の画像データを容易に特定することができ、特定画像の画像データを用いて写真プリントの作成を注文したり、画像表示装置に表示させることを容易に行うことができる。
【００５５】
なお、上記ではＩＣタグ９０に保存場所情報、サムネイル画像データ及び撮影情報を各々書き込む例を説明したが、これに限定されるものではなく、上記の情報のうちの何れか１つ又は２つの情報のみを書き込むようにしてもよいし、ＩＣタグ９０の記憶容量が大容量であれば画像データそのものを書き込むようにしてもよい。
【００５６】
〔第２実施形態〕
次に本発明の第２実施形態について説明する。なお、本第２実施形態に係るＤＳＣ１０は、ＩＣタグリーダ／ライタ６２が省略されている点以外は第１実施形態で説明したＤＳＣ１０と同一であるので、各部分に同一の符号を付して構成の説明を省略し、本第２実施形態の作用として、まず本第２実施形態に係る画像プリント処理について、図７のフローチャートを参照して説明する。
【００５７】
ディスプレイ２６に表示されている画像の中からプリント対象の画像が選択され、プリントボタン２８が操作されることで画像プリント処理が実行されると、本第２実施形態では、プリント対象の画像（選択された画像）の画像データを所定の保存場所から読み出し（ステップ１００）た後に、プリント対象の画像データの保存場所を表す保存場所情報の生成（ステップ１０４）、プリント対象の画像のサムネイル画像データの生成（ステップ１０６）、プリント対象の画像データの撮影情報の読み出し（ステップ１０８）が順に行われる。
【００５８】
そしてステップ１１４では、ステップ１０４で生成した保存場所情報、ステップ１０６で生成したサムネイル画像データ及びステップ１０８で読み出した撮影情報を、電子透かし技術を適用し、ステップ１００で読み出したプリント対象の画像の画像データに埋め込む。例えば個々の画素毎にｎビットのデータから成る多値画像データは、個々の画素をビット単位で分解することでｎ枚の２値画像に分解することができる。そして、単一画素のデータのｎビットには、画像成分を多く含むビットとノイズ成分を多く含むビットが含まれている。電子透かしは上記の原理を利用したものであり、ノイズ成分を多く含むビットに元の画像とは異なる情報を埋め込むことで、元の画像の画質に殆ど影響を及ぼすことなく他の情報を埋め込むことができる。なお、以下ではステップ１１４で生成された画像データを「画像特定情報付き画像データ」と称する。ステップ１１４は請求項６に記載の生成手段に対応している。
【００５９】
次のステップ１１６では、ステップ１１４で生成された画像特定情報付き画像データをプリンタ部６８へライン単位で出力し、プリンタ部６８に対してインスタントフィルム８４への画像記録を指示する。これにより、カセット２４からインスタントフィルム８４が引き出されてプリンタ部６８内の所定位置迄搬送された後に、プリンタ部６８の露光ヘッド７０及び押圧ローラ８０が順に往復移動されると共に、露光ヘッド７０の移動時に画像特定情報付き画像データに応じて露光ヘッド７０の各ＬＥＤの点消灯が制御されることで、プリント対象の画像（保存場所情報、サムネイル画像データ及び撮影情報が埋め込まれた画像）がインスタントフィルム８４に記録される。このように、ステップ１１６において、プリンタ部６８は請求項６に記載のプリンタとして機能する。
【００６０】
インスタントフィルム８４に記録された画像には保存場所情報、サムネイル画像データ及び撮影情報が埋め込まれているので、プリント対象の画像に対応するこれらの情報が、同一のインスタントフィルム８４に担持されることになる。次のステップ１１２ではインスタントフィルム８４をＤＳＣ１０本体外へ排出し（図２（Ｂ）も参照）、画像プリント処理を終了する。
【００６１】
また、画像が記録されたインスタントフィルム８４のうち、特定画像（保存場所情報、サムネイル画像データ及び撮影情報が埋め込まれた画像）が記録されているインスタントフィルム８４からの情報の読み取り・表示が顧客によって指示された場合、本第２実施形態では、以下のような情報表示処理（図８参照）がＤＳＣ１０のＣＰＵ５８で実行される。
【００６２】
ステップ１３０では、インスタントフィルム８４に記録されている特定画像の撮影を要請するメッセージをディスプレイ２６に表示させることで、顧客により特定画像を撮影させる。次のステップ１３２では、顧客による撮影が完了したか否か判定し、判定が肯定される迄ステップ１３２を繰り返す。顧客により特定画像の撮影が行われ、該撮影によって得られた画像データがメモリ５２に記憶されると、ステップ１３２の判定が肯定されてステップ１３４へ移行し、撮影によって得られた画像データから、まず特定画像に相当する画像領域を抽出した後に、抽出した画像領域の画像データから電子透かしを検出し、電子透かし化された保存場所情報、サムネイル画像データ及び撮影情報を抽出する。ステップ１３４は請求項７に記載の抽出手段に対応している。
【００６３】
そしてステップ１３６では、ステップ１３４で抽出した保存場所情報及び撮影情報の内容をＤＳＣ１０のディスプレイ２６に表示させると共に、ステップ１３４で抽出したサムネイル画像データが表すサムネイル画像をディスプレイ２６に表示させ、情報表示処理を終了する。ステップ１３６は請求項７に記載の第２表示制御手段に対応している。ディスプレイ２６に表示された保存場所情報や撮影情報、サムネイル画像を参照することで、顧客は、インスタントフィルム８４に記録されている特定画像の画像データを容易に特定することができ、特定画像の画像データを用いて写真プリントの作成を注文したり、画像表示装置に表示させることを容易に行うことができる。
【００６４】
なお、上記では画像データの保存場所として記録メディア６６を例に説明したが、本発明は、ホームサーバやウェブサーバ等の別体の情報処理装置（の記憶装置）に保存されている場合にも上記と同様に適用可能であることは言うまでもない。
【００６５】
また、第２実施形態においても、保存場所情報、サムネイル画像データ及び撮影情報のうちの何れか１つ又は２つの情報のみをＩＣタグ９０に書き込むようにしてもよい。
【００６６】
また、第１実施形態において、インスタントフィルム８４の製造時に品質情報をＩＣタグ９０に書き込んでおくようにしてもよい。例えばインスタントフィルム８４のロット毎に、ＤＳＣ１０内で補正可能な程度のＲ，Ｇ，Ｂ各色の発色特性の差が生じた場合に、この発色特性の差を製造時に品質情報としてＩＣタグ９０に書き込んでおき、インスタントフィルム８４への画像の露光記録時に上記の品質情報を読み出し、読み出した品質情報が表すＲ，Ｇ，Ｂ各色の発色特定の差に応じて画像データを補正して露光記録を行うようにすれば、インスタントフィルム８４に記録する画像の仕上がり品質向上を実現することができる。
【００６７】
【発明の効果】
以上説明したように本発明に係る記録材料は、被写体を撮影することで得られた画像データに基づき、撮影装置に内蔵されたプリンタによって画像が記録される際に、少なくとも記録材料に記録された画像の画像データ又は該画像データを特定するための画像特定情報を書き込むためのＩＣタグが設けられているので、撮影装置に内蔵されたプリンタによって記録材料に記録された画像の画像データを容易に入手可能となる、という優れた効果を有する。
【００６８】
また、本発明に係る撮影装置は、被写体を撮影することで得られた画像データに基づき、内蔵プリンタにより、ＩＣタグが設けられた記録材料に画像が記録される際に、少なくとも記録材料に記録された画像の画像データ又は該画像データを特定するための画像特定情報をＩＣタグに書き込むので、撮影装置に内蔵されたプリンタによって記録材料に記録された画像の画像データを容易に入手可能となる、という優れた効果を有する。
【００６９】
また、本発明に係る撮影装置は、被写体を撮影することで得られた画像データに、該画像データを特定するための画像特定情報を埋め込んで画像特定情報付き画像データを生成し、該画像特定情報付き画像データに基づき、撮影装置本体にセットされた記録材料に、内蔵プリンタにより画像特定情報付き画像を記録するので、撮影装置に内蔵されたプリンタによって記録材料に記録された画像の画像データを容易に入手可能となる、という優れた効果を有する。
【図面の簡単な説明】
【図１】本実施形態に係るＤＳＣの（Ａ）は正面図、（Ｂ）は背面図である。
【図２】（Ａ）はインスタントフィルムのカセットを装填する状態を示す斜視図、（Ｂ）はプリンタ部で画像が記録されたインスタントフィルムが排出される状態を示す正面図である。
【図３】ＤＳＣの電気系の概略構成を示すブロック図である。
【図４】（Ａ）はインスタントフィルム及び露光ヘッドを示す平面図、（Ｂ）はインスタントフィルムの断面及び押圧ローラを示す側面図である。
【図５】第１実施形態に係る画像プリント処理の内容を示すフローチャートである。
【図６】第１実施形態に係る情報表示処理の内容を示すフローチャートである。
【図７】第２実施形態に係る画像プリント処理の内容を示すフローチャートである。
【図８】第２実施形態に係る情報表示処理の内容を示すフローチャートである。
【符号の説明】
１０　　ＤＳＣ
２０　　イジェクトボタン
２２　　カバー
２４　　カセット
２６　　ディスプレイ
２８　　プリントボタン
５８　　ＣＰＵ
６２　　ＩＣタグリーダ／ライタ
６６　　記録メディア
６８　　プリンタ部
７０　　露光ヘッド
８０　　押圧ローラ
８４　　インスタントフィルム
９０　　タグ
【図１】
2004072146.tif 000003
【図２】
2004072146.tif 000004
【図３】
2004072146.tif 000005
【図４】
2004072146.tif 000006
【図５】
2004072146.tif 000007
【図６】
2004072146.tif 000008
【図７】
2004072146.tif 000009
【図８】
2004072146.tif 000010